(57)【要約】【課題】従来の、オムツ着用者の尿や糞便の検査をする時の検体採取方法や尿検査オムツでは、オムツ着用者からオムツを外す必要があった。また、オムツ交換現場では、毎日定期的にオムツ交換が行われており、その時を利用して検体採取や検尿をする事もあるが、オムツ交換時間以外の時に検体や検尿が必要な時には、別途オムツを外す必要があり作業が増えた。本発明は上記の課題を解決する検体採取用具を提供する。【解決手段】形状記憶合金の超弾性を利用し、線、板や管にした形状記憶合金使用用具をオムツに仕込み、排尿排便後のオムツから尿や糞便の付着した形状記憶合金使用用具を抜き出し目的を達することを特徴とするものである。【選択図】図１
2004212368.tif 000002
【特許請求の範囲】
【請求項１】
線、板、管などにした形状記憶合金使用用具をオムツ、パッド、ライナーなどに仕込み、排尿排便後に尿や糞便の付着した形状記憶合金使用用具を抜き出し、検体の採取または尿検査が出来ることを特徴とする検体採取用具。
【請求項２】
オムツが使い捨てオムツである事を特徴とする請求項１記載の検体採取用具。
【請求項３】
オムツが非使い捨てオムツである事を特徴とする請求項１記載の検体採取用具。
【請求項４】
糞便用用具の先端側には、折り曲げ、溝、その他の糞便が付着し易い処理を施してある事を特徴とする請求項１記載の検体採取用具。
【請求項５】
尿用用具の先端側に、ろ紙や試験紙が取り付けてある事を特徴とする請求項１記載の検体採取用具。
【請求項６】
ポケット状または筒状の収納部が設けてある事を特徴とする請求項１記載の検体採取用具。
【請求項７】
上半身側に面ファスナー、ファスニングテープ、紐、スナップ、粘着テープなどを用いた係止部を設けている事を特徴とする請求項１記載の検体採取用具。
【請求項８】
オムツ材料の少なくとも糞便採取部分に孔、スリット、網状などを設けたり、糞便用用具の糞便採取部分が覗くようにしたりする事を特徴とする請求項１記載の検体採取用具。
【請求項９】
オムツ材料の少なくとも尿採取部分に孔、スリット、網状等を設けたり、尿を透過する材料を用いる事を特徴とする請求項１記載の検体採取用具。
【請求項１０】
濡れ感知手段を持つオムツ、オムツカバー、パッド、ライナーなどと組み合わせて使用する事を特徴とする請求項１記載の検体採取用具。
【発明の詳細な説明】
【０００１】
【発明の属する技術分野】本発明は、オムツ着用中においても検体としての尿や糞便の採取や尿の検査を、形状記憶合金を用いて手軽に出来るようにする検体採取用具に関する。
【０００２】
【従来の技術】従来、オムツ着用者の尿や糞便の検査をする時には、例えばオムツ着用者からオムツを外し尿の付着したオムツを絞って検体を得たり、尿の付着した部分に試験紙を押し当てて尿検査をしたり、オムツに付着した糞便を採取していた。また、検査の為に尿や糞便を分離収集するオムツとして、合成樹脂からなる水分不透過性素材の層を配置し、さらにその上層に布、不織布、又は紙からなる吸水性ライナーを重ねたオムツがある（例えば、特許文献１参照。）。また、尿検査用のオムツとして、オムツ内面に尿中の成分に応じて変色する反応試薬を含浸させた尿検査オムツがある（例えば、特許文献２参照。）。
【特許文献１】特開平１１−１２３２０６号公報
【特許文献２】特開２００１−２８９８４５号公報
【０００３】
【発明が解決しようとする課題】従来の、オムツ着用者の尿や糞便の検査をする時の検体採取方法や尿検査オムツでは、オムツ着用者からオムツを外す必要があった。
【０００４】また、オムツ交換現場では、毎日定期的にオムツ交換が行われており、その時を利用して検体採取や検尿をする事もあるが、オムツ交換時間以外の時に検体や検尿が必要な時には、別途オムツを外す必要があり作業が増えた。
【０００５】本発明は、上記のような問題点を解決することを課題とするものであって、その目的は即ち、尿や糞便の検体採取時または尿検査時に、オムツを外す事無く、検体の採取または尿検査が出来、作業性を上げる事が出来る検体採取用具を提供することにある。
【０００６】
【課題を解決するための手段】上記目的を達成するために、本発明に係る検体採取用具は、形状記憶合金の超弾性を利用し、線、板や管にした体型にフィットする形状記憶合金使用用具をオムツに仕込み、オムツ着用者に違和感無く、排尿排便後のオムツから尿や糞便の付着した形状記憶合金使用用具を抜き出し目的を達する。
【０００７】形状記憶合金使用用具のうち、糞便用用具の股側に当たる先端側には、折り曲げ例えばリング状にしたり、溝を付けたり、その他の糞便が付着し易い処理を施し検体を得、尿用用具の先端側には、ろ紙や試験紙を取り付けて、検体を得たり尿検査をすることが出来ようにしてある。また、市場に出回っている濡れ感知手段を持つオムツやオムツカバーと併用して、排尿排便を直ちに知り、ろ紙や試験紙が破損したり、尿や糞便が混ざる前に用具を抜き出し正確さを期す事も出来る。
【０００８】オムツには、形状記憶合金使用用具を仕込むポケット状または筒状の収納部が設けてあり、上半身側には形状記憶合金使用用具を止める面ファスナー、ファスニングテープ、紐、スナップ、粘着テープなどを用いた係止部を設けている。形状記憶合金使用用具をオムツ同様にパッドやライナーに取り付けて使用する事も可能である。
【０００９】ポケット状または筒状の収納部は、重ねたオムツ材料をポケット状または筒状に、材料により縫い合わせや接着などして設ける。ポケット状または筒状の収納部のみオムツ材料を付加し形成しても良い。糞便用用具が糞便を採取し易いように、オムツ材料の少なくとも糞便採取部分に孔、スリット、網状などを設けたり、筒状の収納部場合、収納部の先から糞便用用具の糞便採取部分が覗くようにしても良い。
【００１０】尿用用具の股側に当たる先端側には、ろ紙や試験紙を取り付けてあり、オムツの尿用用具収納部の少なくとも尿採取部分に孔、スリット、網状などを設けたり、尿を透過する材料を用い、検体を得たり尿検査をすることが出来ようにしてある。
【００１１】そして、排尿排便を知ったら速やかに用具を抜き出し検体を得たり尿検査をする。なお、オムツによっては折り曲げて使用するものがあり、この場合は形状記憶合金使用用具の挿入口は、オムツの上端部の折り曲げ位置に来る様に設定する。
【００１２】
【発明の実施の形態】以下に本発明の実施形態を、図面を参照しながら具体的に説明するがこの実施形態に限定されるものではない。図１は本発明に係る使い捨てオムツの平面図である。図２は本発明に係る使い捨てオムツの斜視図である。図３は本発明に係る非使い捨てオムツの二枚組み例の斜視図である。図４は本発明に係る非使い捨てオムツの二枚組み縫い合わせ例の平面図である。この場合、縫い代が内側に来ても良い。図５（ア）〜（カ）は本発明に係る各種形状記憶合金使用用具の平面図である。
【００１３】本発明に係る検体採取用具は、オムツ１に、形状記憶合金の超弾性を利用した線、板や管にした体型にフィットする形状記憶合金使用用具２を仕込み、形状記憶合金使用用具２のうち糞便用用具２１の股側に当たる先端側には、折り曲げ例えばリング状２１１にしたり、溝状２１２やその他の糞便が付着し易い処理を施し検体を得、尿用用具２２の先端側には、ろ紙２２１や試験紙２２２を取り付けて、検体を得たり尿検査をすることが出来ようにしてある。また、市場に出回っている濡れ感知手段を持つオムツやオムツカバーと併用して、排尿排便を直ちに知り、ろ紙２２１や試験紙２２２が破損したり、尿や糞便が混ざる前に用具を抜き出し正確さを期す事も出来る。
【００１４】オムツ１には、形状記憶合金使用用具２を仕込むポケット状または筒状の収納部１１が設けてあり、上半身側には形状記憶合金使用用具２を止める面ファスナー１２、ファスニングテープ１３、紐、スナップ、粘着テープなどを用いた係止部を設け、形状記憶合金使用用具２を仕込んだ後係止部にて止めている。形状記憶合金使用用具２をオムツ１同様にパッドやライナーに取り付けて使用する事も可能である。
【００１５】ポケット状または筒状の収納部１１は、重ねたオムツ材料をポケット状または筒状に、材料により縫い合わせや接着などして設ける。ポケット状または筒状の収納部１１のみオムツ材料を付加し形成しても良い。糞便用用具２１が糞便を採取し易いように、オムツ材料の少なくとも糞便採取部分に孔１４、スリット、網状などを設けたり、筒状の収納部場合、収納部１１の先から糞便用用具２１の糞便採取部分が覗くようにしても良い。
【００１６】尿用用具２２の股側に当たる先端側には、ろ紙２２１や試験紙２２２が取り付けてあり、オムツ１の尿用用具収納部の少なくとも尿採取部分に孔、スリット、網状などを設けたり、尿が透過する材料を用い、検体を得たり尿検査をすることが出来ようにしてある。
【００１７】そして、排尿排便を知ったら速やかに用具を抜き出し検体を得たり尿検査をする。なお、オムツ１によっては折り曲げて使用するものがあり、この場合は形状記憶合金使用用具２の挿入口は、折り曲げたオムツの上端部に来る様に設定する。
【００１８】
【発明の効果】以上説明したように、本発明に係る検体採取用具は、オムツ着用者の尿や糞便の検体採取時または尿検査時に、オムツを外す事無く、検体の採取または尿検査が出来、作業性を上げる事が出来る。
【図面の簡単な説明】
【図１】本発明に係る使い捨てオムツの平面図である。
【図２】本発明に係る使い捨てオムツの斜視図である。
【図３】本発明に係る非使い捨てオムツの二枚組み例の斜視図である。
【図４】本発明に係る非使い捨てオムツの二枚組み縫い合わせ例の平面図である。
【図５】（ア）〜（カ）本発明に係る各種形状記憶合金使用用具の平面図である。
【符号の説明】
１      オムツ
１１    収納部
１２    面ファスナー
１３    ファスニングテープ
１４    孔
２      形状記憶合金使用用具
２１    糞便用用具
２１１  リング状
２１２  溝状
２１３  ヤスリ状
２２    尿用用具
２２１  ろ紙
２２２  試験紙
【図１】
2004212368.tif 000003
【図２】
2004212368.tif 000004
【図３】
2004212368.tif 000005
【図４】
2004212368.tif 000006
【図５】
2004212368.tif 000007